(57)【要約】【課題】ガイドピンの保持を確実にして吊り戸を安定的にガイドできるようにした吊り戸のガイド装置を提供すること。【解決手段】床面２に設置されるケース３及びこのケース３に上方に突出可能に収納されたガイドピン４を備えた床面設置部材１と、この床面設置部材１の突出したガイドピン４が挿入される吊り戸本体５に配設した案内溝部材１４とからなり、ガイドピン４の中間位置に細幅部７２を形成するとともに、案内溝部材１４の開口端縁部１４ｂの溝幅を吊り戸本体５の端部側５ａのみガイドピン４の幅より広く形成し、吊り戸本体５の端部側５ａを除く中央部５ｃにおいてガイドピン４の細幅部７２に案内溝部材１４の開口端縁部１４ｂを側方から挿入し、ガイドピン４を保持するようにする。【選択図】図４
2005163384.tif 000002
【特許請求の範囲】
【請求項１】
床面に設置されるケース及び該ケースに上方に突出可能に収納されたガイドピンを備えた床面設置部材と、該床面設置部材の突出したガイドピンが挿入される吊り戸本体に配設した案内溝部材とからなる吊り戸の下部振止装置において、前記ガイドピンの中間位置に細幅部を形成するとともに、案内溝部材の開口端縁部の溝幅を吊り戸本体の端部側のみガイドピンの幅より広く形成し、吊り戸本体の端部側を除く中央部において前記ガイドピンの細幅部に案内溝部材の開口端縁部を側方から挿入し、ガイドピンを保持するようにしたことを特徴とする吊り戸の下部振止装置。
【請求項２】
ガイドピンの少なくとも一部を磁性体材料で構成するとともに、吊り戸本体の端部側にのみガイドピンを吸着する磁石を配設したことを特徴とする請求項１記載の吊り戸の下部振止装置。
【請求項３】
ガイドピンを複数段の入れ子状の筒体により形成したことを特徴とする請求項１又は２記載の吊り戸の下部振止装置。
【請求項４】
ガイドピンを、ケースに対して偏心して配設したことを特徴とする請求項１、２又は３記載の吊り戸の下部振止装置。
【請求項５】
ケースを、アウター部材を介して、床面に設置するようにしたことを特徴とする請求項１、２、３又は４記載の吊り戸の下部振止装置。
【請求項６】
ケースの底面及びアウター部材の内底面を、ケースとアウター部材とが任意の回転位置で嵌合できる嵌合構造に形成したことを特徴とする請求項５記載の吊り戸の下部振止装置。
【発明の詳細な説明】
【技術分野】
【０００１】
本発明は、吊り戸の下部振止装置に関し、特に、ガイドピンの保持を確実にして吊り戸を安定的にガイドできるようにした吊り戸のガイド装置に関するものである。
【背景技術】
【０００２】
従来、特許文献１に開示されるように、天井レールにランナーを介して走行自在に吊り下げられた吊り戸に対し、床面に設置した床面設置部材に磁力によって突出可能に設けられたガイドピンが、吊り戸本体の下面に形成された案内溝に挿入されることにより、吊り戸のガイドを行う吊り戸の下部振止装置が知られている。
この吊り戸の下部振止装置は、床に配設されるケースと、該ケースに上方に突出可能に収納されたガイドピンとを備え、ガイドピンを突出させた状態を磁力により維持しながら吊り戸のガイドを行うようにしている。
【０００３】
しかしながら、上記従来の吊り戸のガイド装置は、ガイドピンを突出させた状態を磁力により維持する方式のため、ガイドピンの保持を不確実となりやすく、吊り戸を安定的にガイドでないという問題があった。
また、従来の吊り戸のガイド装置は、ガイドピンを含む床面設置部材側に磁石を設けるようにしているため、床面設置部材の構造が複雑になり製造コストがかかるとともに、床面設置部材側に設けた磁石に鉄粉や金属片が吸着されることにより故障の原因となるという問題があった。
【特許文献１】特開平１１−７１９５４号公報
【発明の開示】
【発明が解決しようとする課題】
【０００４】
本発明は、上記従来の吊り戸の下部振止装置が有する問題点に鑑み、ガイドピンの保持を確実にして吊り戸を安定的にガイドできるようにした吊り戸のガイド装置を提供することを第１の目的とする。
【０００５】
また、本発明は、ガイドピンを含む床面設置部材側に磁石を設けないようにすることにより、床面設置部材の構造を簡易にして製造コストを低廉にするとともに、床面設置部材側に故障の原因となる鉄粉や金属片が吸着されないようにした吊り戸のガイド装置を提供することを第２の目的とする。
【課題を解決するための手段】
【０００６】
上記第１の目的を達成するため、本発明の吊り戸の下部振止装置は、床面に設置されるケース及び該ケースに上方に突出可能に収納されたガイドピンを備えた床面設置部材と、該床面設置部材の突出したガイドピンが挿入される吊り戸本体に配設した案内溝部材とからなる吊り戸の下部振止装置において、前記ガイドピンの中間位置に細幅部を形成するとともに、案内溝部材の開口端縁部の溝幅を吊り戸本体の端部側のみガイドピンの幅より広く形成し、吊り戸本体の端部側を除く中央部において前記ガイドピンの細幅部に案内溝部材の開口端縁部を側方から挿入し、ガイドピンを保持するようにしたことを特徴とする。
【０００７】
さらに、上記第２の目的を達成するため、本発明の吊り戸の下部振止装置は、ガイドピンの少なくとも一部を磁性体材料で構成するとともに、吊り戸本体の端部側にのみガイドピンを吸着する磁石を配設したことを特徴とする。
【０００８】
この場合において、ガイドピンを複数段の入れ子状の筒体により形成することができる。
【０００９】
また、ガイドピンを、ケースに対して偏心して配設することができる。
【００１０】
また、ケースを、アウター部材を介して、床面に設置するようにすることができる。
【００１１】
また、ケースの底面及びアウター部材の内底面を、ケースとアウター部材とが任意の回転位置で嵌合できる嵌合構造に形成することができる。
【発明の効果】
【００１２】
本発明の吊り戸の下部振止装置によれば、ガイドピンの中間位置に細幅部を形成するとともに、案内溝部材の開口端縁部の溝幅を吊り戸本体の端部側のみガイドピンの幅より広く形成し、吊り戸本体の端部側を除く中央部において前記ガイドピンの細幅部に案内溝部材の開口端縁部を側方から挿入し、ガイドピンを保持するようにすることにより、ガイドピンの保持を確実にして吊り戸を安定的にガイドできる。
【００１３】
また、ガイドピンの少なくとも一部を磁性体材料で構成するとともに、吊り戸本体の端部側にのみガイドピンを吸着する磁石を配設するようにすることにより、ガイドピンを含む床面設置部材側に磁石を設ける必要がなく、床面設置部材の構造を簡易にして製造コストを低廉にするとともに、床面設置部材側に故障の原因となる鉄粉や金属片が吸着されないようにすることができる。
【００１４】
また、ガイドピンを複数段の入れ子状の筒体により形成することにより、ガイドピンに必要なストロークと剛性を確保しながら、ケースを短く形成することができ、これにより、床材の厚さの範囲に収まる浅い埋め込み孔でも設置できるようになり、床スラブが障害となるような建物の床面にも吊り戸の下部振止装置の床面設置部材を容易に設置することができる。
【００１５】
また、最中心部に位置するガイドピンを除くガイドピン及びケースの内周部の対向する２箇所に縦方向の有端のスリット溝を形成し、該スリット溝に、ガイドピンの外周部の対向する２箇所に形成した摺動突起を嵌入するようにすることにより、簡易な機構により、複数段の入れ子状の筒体により形成したガイドピンの昇降を円滑に行うことができる。
【００１６】
また、ガイドピンを、ケースに対して偏心して配設することにより、ケースを設置する際に、ケースを回転することによって、ガイドピンの吊り戸に対する位置を調整することができる。
【００１７】
また、ケースを、アウター部材を介して、床面に設置することにより、ケースを床面に一旦設置した後でも、アウター部材内でケースを回転することが可能となり、ケースの設置状態が緩むことなく、ガイドピンの吊り戸本体の案内溝部材に対する位置調整を、容易に、かつ何度でも行うことができる。
【００１８】
また、ケースの底面及びアウター部材の内底面を、ケースとアウター部材とが任意の回転位置で嵌合できる嵌合構造に形成することにより、ケースとアウター部材との位置関係を正確に保持することができる。
【発明を実施するための最良の形態】
【００１９】
以下、本発明の吊り戸の下部振止装置の実施の形態を図面に基づいて説明する。
【実施例１】
【００２０】
図１〜図６に、本発明の吊り戸の下部振止装置の第１実施例を示す。
この吊り戸の下部振止装置は、床面２に設置されるケース３及びこのケース３に上方に突出可能に収納されたガイドピン４を備えた床面設置部材１と、この床面設置部材１の突出したガイドピン４が挿入される吊り戸本体５に配設した案内溝部材１４とからなる。
そして、ガイドピン４の中間位置に細幅部（本実施例の場合は、細径部）７２を形成するとともに、案内溝部材１４の案内溝１４ａの開口端縁部１４ｂの溝幅を吊り戸本体５の端部側５ａのみガイドピン４の幅（本実施例の場合は、直径）より広く形成し、吊り戸本体５の端部側５ａを除く中央部５ｃにおいてガイドピン４の細幅部７２に案内溝部材１４の開口端縁部１４ｂを側方から挿入し、ガイドピン４を保持するようにしている。
【００２１】
ケース３は鍔部３１を備えた円筒体からなり、内周部の対向する２箇所に縦方向の有端のスリット溝８を備えている。
【００２２】
ガイドピン４は、ケース３に直接摺動可能に収納された第１筒体６と、該第１筒体６の内部に摺動可能に収納された第２筒体７とを備え、第１筒体６と第２筒体７とは、２段の入れ子状に形成されるとともに、ケース３に抜け止めピン９を配設して、ガイドピン４の抜け止めを図るようにしている。
【００２３】
第１筒体６は円筒体からなり、外周部の対向する２箇所に摺動突起１０を備えている。これらの摺動突起１０は、ケース３のスリット溝８にそれぞれ嵌入されている。また、これらの摺動突起１０の内周部側には、第２筒体７の摺動突起１０が嵌入される有端のスリット溝８を備えている。
【００２４】
第２筒体７は、有蓋の円筒体からなり、外周部の対向する２箇所に摺動突起１０を備えており、これらの摺動突起１０は、第１筒体６のスリット溝８にそれぞれ嵌入されている。この第２筒体７の上部には、第２筒体７の上部より大径の鉄等の磁性体材料からなるリング体７１が、鉄等の磁性体材料からなる皿ビス１１により固定されている。
これにより、ガイドピン４の第２筒体７の中間位置に細径部７２が形成されるようにしている。
【００２５】
ガイドピン４内には、必要に応じて、ガイドピン４の重量よりやや小さい付勢力を有するばね１２を配設し、このばね１２によりガイドピン４を突出する方向に付勢することができる。
これにより、ガイドピン４に磁力が作用した場合に、比較的小さい磁力でも、ガイドピン４を確実に突出させることができる。
【００２６】
また、本実施例の吊り戸の下部振止装置においては、ガイドピン４を、ケース３に対して偏心して配設することにより、ケース３を床面２に設置する際に、ケース３を回転することによって、ガイドピン４の吊り戸本体５の案内溝５１に対する位置を調整することができるようにしている。
なお、ケース３とガイドピン４とが同心となるように配設することもできる。
【００２７】
さらに、本実施例の吊り戸の下部振止装置においては、ケース３を床面２に設置するに当たり、ケース３を、合成樹脂等の材料で形成したアウター部材１３を介して、床面２に設置するようにしている。
アウター部材１３には、ケース３の外周面に形成した抜け止め用溝３２に嵌合する抜け止め用突起１３ａを形成するようにする。
これにより、ケース３を床面２に一旦設置した後でも、アウター部材１３内でケース３を回転することが可能となり、ケース３の設置状態が緩むことなく、ガイドピン４の吊り戸本体５の案内溝５１に対する位置調整を、容易に、かつ何度でも行うことができる。
【００２８】
一方、吊り戸本体５は、天井レールにランナー（図示省略）を介して走行自在に吊り下げられている。
また、吊り戸本体５の下面には、床面設置部材１の突出したガイドピン４が挿入される案内溝部材１４が配設されている。
この案内溝部材１４は、図５〜図６に示すように、案内溝部材１４の案内溝１４ａの開口端縁部１４ｂの溝幅を吊り戸本体５の端部側５ａ（端部側移行部５ｂは、端部側５ａから中央部５ｃにガイドピン４が円滑に移行するための移行する部分であり、案内溝部材１４の開口端縁部１４ｂの溝幅が中央部５ｃに向けて漸次狭くなるように形成するようにしている。）のみガイドピン４の幅（本実施例の場合は、直径）より広く形成し、吊り戸本体５の端部側５ａを除く中央部５ｃにおいてガイドピン４の細幅部７２に案内溝部材１４の開口端縁部１４ｂを側方から挿入し、ガイドピン４を保持するようにする。
そして、吊り戸本体５の端部側５ａ（端部側移行部５ｂを含む。）にのみガイドピン４を吸着する磁石１５を配設するようにしている。
なお、本実施例においては、案内溝部材１４を、吊り戸本体５の端部側５ａ（端部側移行部５ｂを含む。）の部分１４Ａと、吊り戸本体５の中央部５ｃの部分１４Ｂとに、分割して形成しているが、分割位置はこれに限定されず、また、全体を一体に形成することもできる。
【００２９】
この吊り戸の下部振止装置は、吊り戸本体５が、床面２に設置された床面設置部材１の上方位置に来ると、図２に示すように、吊り戸本体５の端部側５ａに配設した磁石１５によって、第２筒体７の鉄等の磁性体材料からなるリング体７１及び皿ビス１１が吸着され、ガイドピン４（第１筒体６及び第２筒体７）はケース３内から上方に突出し、吊り戸本体５の案内溝部材１４の案内溝１４ａに自動的に挿入される。
そして、さらに吊り戸本体５が移動することにより、図３〜図４に示すように、ガイドピン４の幅（本実施例の場合は、直径）より狭く形成した、吊り戸本体５の端部側５ａを除く中央部５ｃにおいてガイドピン４の細幅部７２に案内溝部材１４の開口端縁部１４ｂを側方から挿入し、ガイドピン４を保持するようにする。
これにより、ガイドピン４を吸着する磁石が存在しない吊り戸本体５の中央部５ｃにおいて、ガイドピン４を確実に保持することができる。
なお、吊り戸本体５が、床面２に設置された床面設置部材１の上方位置から去ると、ガイドピン４（第１筒体６及び第２筒体７）は重力によりケース３内に退入する。
【実施例２】
【００３０】
ところで、上記第１実施例の吊り戸の下部振止装置においては、アウター部材１３を無底に形成するようにしたが、図７に示す本発明の吊り戸の下部振止装置の第２実施例のように、アウター部材１３を有底（少なくとも、部分的に有底）に形成するとともに、アウター部材１３の内底面及びこれに当接する床面設置部材１のケース３の底面を、ケース３とアウター部材１３とが任意の回転位置で嵌合できる嵌合構造（本実施例においては、凹凸形状）３２、１３ｂに形成することもできる。
これにより、ケース３とアウター部材１３との位置関係を正確に保持することができ、ケース３の設置状態が緩むことなく、ガイドピン４の吊り戸本体の案内溝５１に対する位置調整を、容易に、かつ何度でも行うことができる。
【００３１】
なお、この第２実施例の吊り戸の下部振止装置のその他の構成は、上記第１実施例の吊り戸の下部振止装置と同様である。
【００３２】
この吊り戸の下部振止装置によれば、ガイドピン４の中間位置に細幅部７２を形成するとともに、案内溝部材１４の開口端縁部１４ｂの溝幅を吊り戸本体５の端部側５ａのみガイドピン４の幅より広く形成し、吊り戸本体５の端部側５ａを除く中央部５ｃにおいて前記ガイドピン４の細幅部に案内溝部材１４の開口端縁部１４ｂを側方から挿入し、ガイドピン４を保持するようにすることにより、ガイドピン４の保持を確実にして吊り戸を安定的にガイドできる。
【００３３】
また、ガイドピン４の少なくとも一部を磁性体材料で構成するとともに、吊り戸本体５の端部側５ａにのみガイドピン４を吸着する磁石１５を配設するようにすることにより、ガイドピン４を含む床面設置部材１側に磁石を設ける必要がなく、床面設置部材１の構造を簡易にして製造コストを低廉にするとともに、床面設置部材１側に故障の原因となる鉄粉や金属片が吸着されないようにすることができる。
【００３４】
以上、本発明の吊り戸の下部振止装置について、複数の実施例に基づいて説明したが、本発明の吊り戸の下部振止装置は、これらの実施例の構成に限定されるものではなく、例えば、ガイドピンを３段以上の入れ子状とするなど、その趣旨を逸脱しない範囲において適宜に変更することが可能である。
また、上記各実施例の吊り戸の下部振止装置は、特に材料を限定していない部材については、合成樹脂のほか、金属等の任意の材料で形成することができる。
【産業上の利用可能性】
【００３５】
本発明の吊り戸の下部振止装置は、ガイドピンの保持を確実にして吊り戸を安定的にガイドできることから、鉄筋コンクリートの建物等において床スラブ等が障害となって深い埋め込み孔を形成することが困難な場合等を含め、吊り戸の下部振止の用途に広く用いることができる。
【図面の簡単な説明】
【００３６】
【図１】本発明の吊り戸の下部振止装置の第１実施例を示し、（ａ）は平面図、（ｂ）は（ａ）のＡ−Ａ断面図、（ｃ）は（ａ）のＢ−Ｂ断面図、（ｄ）は底面図である。
【図２】同吊り戸の下部振止装置の吊り戸本体の端部側での動作状態を示す断面図である。
【図３】同吊り戸の下部振止装置の吊り戸本体の端部側移行部での動作状態を示す断面図である。
【図４】同吊り戸の下部振止装置の吊り戸本体の中央部での動作状態を示す断面図である。
【図５】同吊り戸の下部振止装置の吊り戸本体を示し、（ａ）は正面図、（ｂ）は底面図である。
【図６】同吊り戸の下部振止装置の案内溝部材を示し、（ａ）は左（開口側）側面図、（ｂ）は一部破断した正面図、（ｃ）は右（中央部側）側面図、（ｄ）は底面図である。
【図７】本発明の吊り戸の下部振止装置の第２実施例を示し、（ａ）はアウター部材の平面図、（ｂ）は同正面図、（ｃ）は床面設置部材（ケース）の正面図である。
【符号の説明】
【００３７】
１    床面設置部材
２    床
３    ケース
３１  鍔部
３２  抜け止め用溝
３３  嵌合構造（凹凸形状）
４    ガイドピン
５    吊り戸本体
５ａ  端部側
５ｂ  端部側移行部
５ｃ  中央部
６    第１筒体
７    第２筒体
７１  リング体
７２  細径部（細幅部）
８    スリット溝
９    抜け止めピン
１０  摺動突起
１１  皿ビス
１２  ばね
１３  アウター部材
１３ａ  抜け止め用突起
１３ｂ  嵌合構造（凹凸形状）
１４  案内溝部材
１４ａ  案内溝
１４ｂ  開口端縁部
１５  磁石
【図１】
2005163384.tif 000003
【図２】
2005163384.tif 000004
【図３】
2005163384.tif 000005
【図４】
2005163384.tif 000006
【図５】
2005163384.tif 000007
【図６】
2005163384.tif 000008
【図７】
2005163384.tif 000009